(57)【要約】【課題】  複数の磁気ディスクメディアを内蔵する磁気ディスクカートリッジの記録および／または再生を行うのに適したスピンドルおよびディスクドライブを提供する。【解決手段】  磁気ディスクメディアを貼付した複数のセンタコア４２同士をピン４３ｂによって接続したアセンブリが一体回転可能に収納された磁気ディスクカートリッジの記録および／または再生を行うディスクドライブは、最下層のセンタコア４２から突出するピン４３ｂを逃がす環状溝６５３が最下層のセンタコア４２と密着する面に形成されたスピンドル６５を備える。【選択図】      図７
2006059399.tif 000002
【特許請求の範囲】
【請求項１】
記録ディスクカートリッジ内に一体回転可能に収納され、ピンにより互いを一体に接続した複数のセンタコアの底面に外部から密着して、前記センタコアに貼付されたフレキシブルな記録ディスクメディアを回転させるためのスピンドルであって、
前記センタコアの底面から突出した前記ピンを逃がすための環状溝を、前記センタコアと密着する面に形成したことを特徴とするスピンドル。
【請求項２】
前記環状溝内に、環状溝の深さよりも低く形成され、前記ピンの環状溝内の移動を規制する規制部を少なくとも１個備えたことを特徴とする請求項１に記載のスピンドル。
【請求項３】
前記規制部は、当該規制部の上に当接した前記ピンを前記環状溝内に導入する斜面を有することを特徴とする請求項２に記載のスピンドル。
【請求項４】
記録ディスクカートリッジ内に一体回転可能に収納され、ピンにより互いを一体に接続した複数のセンタコアの底面に外部から密着して、前記センタコアに貼付されたフレキシブルな記録ディスクメディアを回転させるためのスピンドルを備え、前記記録ディスクメディアの記録および／または再生を行うディスクドライブであって、
前記センタコアの底面に密着させる前記スピンドルの面に、前記センタコアの底面から突出したピンを逃がすための環状溝を形成したことを特徴とするディスクドライブ。
【発明の詳細な説明】
【技術分野】
【０００１】
本発明は、フレキシブルな記録ディスクメディアを回転させるスピンドルと、記録ディスクメディアを複数備えた記録ディスクカートリッジの記録および／または再生を行うディスクドライブに関する。
【背景技術】
【０００２】
従来、ポリエステルシートなどのフレキシブルな素材からなる円盤状の支持体の両面に磁性層を形成したフレキシブルな磁気ディスクメディアが知られている。この磁気ディスクメディアは、磁気テープに比べるとデータへのアクセスが速いというメリットがある一方で、記録面積が小さいことから記憶容量が小さいというデメリットがある。
【０００３】
このようなフレキシブルな磁気ディスクメディアのデメリットを解決するため、従来、一つのカートリッジケースに複数枚の磁気ディスクメディアを収納した磁気ディスクカートリッジが開示されている（例えば、特許文献１参照）。
【０００４】
ところで、フレキシブルな磁気ディスクメディアは、メディア自身の剛性が低いため、回転させると記録面に垂直な方向に振れやすいという問題がある。そのため、前記した特許文献１に記載の発明においては、各磁気ディスクメディアをシャッタにより挟んだ構成としている。このように磁気ディスクメディアの近傍に剛性が高いシャッタなどの板部材を配置することにより、磁気ディスクメディアが回転にともない板部材に沿うので、記録面を安定させることができる。
【特許文献１】特開２００４−２２０１１号公報
【発明の開示】
【発明が解決しようとする課題】
【０００５】
ところで、複数の磁気ディスクメディアを内蔵する磁気ディスクカートリッジの記録および／または再生を行うのに適したスピンドルおよびディスクドライブが存在しなかった。そこで、本発明は、複数の磁気ディスクメディアを内蔵する磁気ディスクカートリッジの記録および／または再生を行うのに適したスピンドルおよびディスクドライブを提供することを目的とする。
【課題を解決するための手段】
【０００６】
前記した課題を解決するため、本発明のスピンドルは、記録ディスクカートリッジ内に一体回転可能に収納され、ピンにより互いを一体に接続した複数のセンタコアの底面に外部から密着して、前記センタコアに貼付されたフレキシブルな記録ディスクメディアを回転させるためのものであり、前記センタコアの底面から突出した前記ピンを逃がすための環状溝を、前記センタコアと密着する面に形成して構成される。
【０００７】
このような構成により、本発明のスピンドルは、センタコアの底面から突出したピンを、環状溝内に入り込ませて、ピンを逃がすことになるため、センタコアの底面と面一に密着することができる。したがって、スピンドルとセンタコアとの間の係合をマグネチックチャッキングと呼ばれる方法などによって係合する構造では、センタコアの底面から突出するピンを環状溝内に逃がすと共に磁気吸着して、スピンドルとセンタコアとを確実に密着させることになる。
【０００８】
これによって、センタコアは、スピンドルから伝達される回転力に抗して互いの面の間に生じる摩擦力により、スピンドルの回転駆動力が伝達されて安定して回転することになる。したがって、請求項１に記載のスピンドルによれば、複数の記録ディスクメディアをセンタコアに貼付して、センタコアをピンによって強固に接続したアセンブリを内蔵する記録ディスクカートリッジの記録および／または再生を行わせることができる。
【０００９】
なお、マグネチックチャッキングでは、スピンドルとセンタコアとの材質は、スピンドルの上面が磁性材料によって形成され、センタコアの底面が磁性材料に吸着される金属材料によって形成される場合に限らず、その逆であってもよい。
【００１０】
前記した記録ディスクカートリッジにおいては、前記環状溝内に、環状溝の深さよりも低く形成され、前記ピンの環状溝内の移動を規制する規制部を少なくとも１個さらに備えて構成することもできる。
【００１１】
このような構成により、スピンドルに形成した環状溝は、センタコアの底面から突出するピンを逃がすばかりでなく、ピンが環状溝内を回転方向に移動した場合に、ピンが規制部に突き当たると、その移動を規制されることになる。
【００１２】
なお、記録ディスクメディアを貼付した複数のセンタコアをピンにより一体に接続すると、重量が増えて、特に、回転開始時や終了時に、スピンドルとセンタコアとの間の磁気力による吸着力よりも大きな慣性力により、スリップしやすくなってしまう。しかし、環状溝内に入っているピンが、規制部により規制されることによって、そのスリップを止めることができるようになる。また、ピンと規制部との間に作用する力を考慮して、スピンドルに形成する磁性部材によって生じる磁気力が小さくてもよくなる。そのため、磁性部材の表面積を狭くすることもできるようになる。ひいては、スピンドルの小型化に繋がる。
【００１３】
なお、センタコアを接続するピンは、センタコアの底板に同心円状に複数の貫通孔を形成し、その貫通孔から突出する。そのため、スピンドルの環状溝内に形成する規制部も、そのセンタコアから突出するピンの配置に合わせて等間隔に配置するのが望ましい。しかし、全てのピンが全て規制される必要はないため、センタコアから突出する複数のピンの中の少なくともいずれか１本のピンの移動を規制させるように、規制部を１個形成するようにすればよい。また、ここで、複数の貫通孔は、どのようにセンタコアに配置してもよいが、重量バランスを整えるため、同心円状に配置して形成されるのが望ましい。
【００１４】
さらに、前記規制部は、当該規制部の上に当接した前記ピンを前記環状溝内に導入する斜面を有するように構成するようにしてもよい。
このような構成により、センタコアの底面から突出するピンがスピンドルの上面に形成された環状溝内に導入されるときに、スピンドルの上面に向けて環状溝内から臨む規制部の上端に突き当たったとしても、斜面がピンを環状溝内に導入するように案内することになる。そのため、ピンが規制部により環状溝内へ入り込むのを阻止されることがないため、確実にピンが環状溝内に入り込むことができる。つまり、ピンにより妨げられることなく、スピンドルの上面とセンタコアの底面とが確実に密着することができる。
【００１５】
さらに、前記した課題を解決するため、本発明のディスクドライブは、記録ディスクカートリッジ内に一体回転可能に収納され、ピンにより互いを一体に接続した複数のセンタコアの底面に外部から密着して、前記センタコアに貼付されたフレキシブルな記録ディスクメディアを回転させるためのスピンドルを備え、前記記録ディスクメディアの記録および／または再生を行うために、前記センタコアの底面に密着させる前記スピンドルの面に、前記センタコアの底面から突出したピンを逃がすための環状溝を形成して構成される。
【００１６】
このような構成により、本発明のディスクドライブは、スピンドルの環状溝が、センタコアの底面から突出したピンを逃がすことになるため、センタコアの底面と面一に密着させて、記録ディスクメディアの記録および／または再生を行うことができる。
【発明の効果】
【００１７】
本発明によれば、スピンドルの上面に形成された環状溝が、センタコアの底面から突出するピンを逃がすことができるため、スピンドルの上面とセンタコアの底面とを確実に密着させることができる。したがって、記録ディスクメディアを確実に安定して回転させることができる。
また、環状溝内にピンの移動を規制する規制部を形成することで、スピンドルとセンタコアとの間のスリップを抑制することができる。
【発明を実施するための最良の形態】
【００１８】
次に、本発明の実施形態について、適宜図面を参照しながら詳細に説明する。まず、本発明のスピンドルによって回転させられて、ディスクドライブによって記録および／または再生を行われる記録ディスクメディアの一例として磁気ディスクメディアを採用した場合について説明する。
図１は、磁気ディスクカートリッジの分解斜視図であり、図２は、磁気ディスクカートリッジの外観斜視図の（ａ）シャッタを閉じた状態、および（ｂ）シャッタを開けた状態を示し、図３は、上プレートの内面を示す斜視図であり、図４は、磁気ディスクドライブに装填した磁気ディスクカートリッジの図２（ｂ）におけるIV−IV断面図であり、図５は、図４の部分拡大図であり、図６は、磁気ディスクメディアの積層構造を示す分解斜視図である。なお、以下の説明において、上下は、磁気ディスクカートリッジの典型的な使用状態を基準とし、便宜上磁気ディスクメディアの面に垂直な方向を上下と称する。
【００１９】
図１に示すように、記録ディスクカートリッジの一例である磁気ディスクカートリッジ１は、下壁を構成する下プレート１０と、複数枚、例えば４枚のインナプレート２０と、上壁を構成する上プレート３０とを順に積層し、これらを４つのネジ９１で締結して固定することでカートリッジケース２（図２（ａ）参照）が構成されている。そして、下プレート１０とインナプレート２０の間、インナプレート２０同士の間、およびインナプレート２０と上プレート３０の間のそれぞれには磁気ディスクメディア４１が配置されている。磁気ディスクメディア４１は中央に開口部４１ａを有する円盤形状であり、開口部４１ａの縁に金属製のセンタコア４２が貼り付けられている。そして、センタコア４２同士がスペーサ４３（トップスペーサ４３′）により係合して５枚の磁気ディスクメディア４１（この積層・一体化された磁気ディスクメディア４１をディスクスタック４０とする）を一体に回転するようになっている。
【００２０】
各インナプレート２０は、平板状の主プレート２１の外周縁に上下のプレートと当接するリブ２２が形成されている。インナプレート２０の図１における右手前側の一部は、磁気ヘッド６３（図４参照）が磁気ディスクメディア４１上に移動しやすいように切欠２３を形成している。この切欠２３の部分は、前記したリブ２２が形成されておらず、そのためインナプレート２０を積み重ねると、図２（ａ）に示すようにカートリッジケース２の側面に開口部３が形成される。
【００２１】
この開口部３は、ディスクスタック４０と同軸に回動するシャッタ４により開閉される。シャッタ４は、図１に示すように下ロータ５１と上ロータ５２とを組み合わせることにより構成されている。
【００２２】
次に、各部材についてより詳細に説明する。
下プレート１０は、主として略正方形の主プレート１１の外周縁に、インナプレート２０のリブ２２の下面側と当接するリブ１２と、側壁１３が形成されて構成されている。側壁１３は、主プレート１１の１つの角（図１においては手前側の角）から所定の範囲、例えば一辺の３分の１程度の範囲に立設されており、およそインナプレート２０を積み重ねた高さで形成されている。
【００２３】
主プレート１１の側壁１３に連なる一方の一辺１１ａ（図１における右手前側の一辺）から主プレート１１の中心に向かう扇形の部分は、一段低くなった凹部１４ａを形成し、外周縁にはリブ１２が形成されずに開口１４となっている。これにより、磁気ヘッド６３がカートリッジケース２内に進入することを容易にしている。
主プレート１１の側壁１３に連なる他の一辺１１ｂ（図１における左手前側の一辺）の中央略３分の１の範囲は、後記する下ロータ５１のギヤ５１ｆが露出できるようにリブ１２が形成されずに開口１５となっている。また、当該他の一辺１１ｂ側の側壁１３の外側には、開口１５に連なって下プレート１０の外周に沿った溝１３ａが形成されている。溝１３ａは、磁気ディスクドライブのシャッタオープンギヤ６７（図２（ａ）参照）がギヤ５１ｆに係合すべく図２（ａ）の矢印で示す方向へ進入して開口１５へ入り込む通路となっている。
【００２４】
前記したリブ１２は、主プレート１１の外周縁のうち、側壁１３、開口１４，１５を除く全周にわたり、上方へ突出するように形成されている。
主プレート１１の中央には、最下層の磁気ディスクメディア４１に設けられるセンタコア４２を露出させるための円形の開口部１６が形成されている。開口部１６の上側の縁には、下ロータ５１の中央に形成された中央開口部５１ｃが外嵌するリブ１７が全周にわたって形成されている。このリブ１７は、下ロータ５１を回動自在に支持する。
また、主プレート１１の上面（内面）において、下ロータ５１の外周縁に対応する位置には、円形状の下ロータ支持溝１８が形成されている。この下ロータ支持溝１８は、下ロータ５１の外周縁において下方へ向けて形成されるリブ５１ｄ（図４参照）と係合することで、下ロータ５１を磁気ディスクメディア４１と同軸で回動自在に支持する。
また、主プレート１１の四つの角部には上下に貫通して、雌ネジが形成されたネジ孔１９が形成されている。
【００２５】
インナプレート２０の主プレート２１は、およそ正方形をなしており、正方形の４つの角部のうち一つの角に相当する部分が磁気ディスクメディア４１より一回り大きい円弧の形状（円弧部２４）となっている。そして、円弧部２４に連なる一辺（図１における右手前側）に前記した切欠２３が扇形に形成されている。前記したリブ２２は、主プレート２１の外周縁のうち、円弧部２４および切欠２３を除く全周にわたり、上下に突出して形成されている。そして、主プレート２１の中央には、上方のセンタコア４２を露出して、下方のセンタコア４２との連結を可能にするための中央開口部２１ｃが形成されている。
また、主プレート２１の３つの角部には、上下に貫通してネジ９１のネジ軸部９１ａが挿通される孔２９が形成されている。
【００２６】
上プレート３０は、下プレート１０とおよそ対称に形成されている。図３に示すように、上プレート３０は、およそ正方形の主プレート３１に、前記した凹部１４ａに対応する凹部３４と、リブ１７に対応するリブ３７と、下ロータ支持溝１８に対応する上ロータ支持溝３８が形成されている。なお、主プレート３１の中央に開口は形成されず、側壁１３に対応する側壁も形成されていない。
そして、主プレート３１の外周縁には、下方に突出するリブ３２が、凹部３４を除く全周にわたって形成されている。
また、主プレート３１の四つの角部には、ネジ９１のネジ軸部９１ａが貫通する孔３９が形成されている。
【００２７】
下ロータ５１は、およそ磁気ディスクメディア４１と同じリング状の下ロータプレート５１ａに中央開口部５１ｃ、切欠５１ｅ、リブ５１ｄ、およびギヤ５１ｆが形成され、下ロータプレート５１ａの外周縁にシャッタプレート５１ｂが立設されて構成されている。中央開口部５１ｃは、リブ１７に外嵌する円形に形成され、切欠５１ｅは、凹部１４ａに対応する扇形に形成される。また、リブ５１ｄは、下ロータ支持溝１８に対応して下ロータプレート５１ａの下面の外周縁に下方に向けて設けられている。
シャッタプレート５１ｂは、開口部３（図２（ａ）参照）とディスクスタック４０とを遮断する遮蔽部材であり、切欠５１ｅに隣接して下ロータプレート５１ａの外周縁に沿って立設されている。ギヤ５１ｆは、シャッタ４（図２（ａ）参照）を、磁気ディスクカートリッジ１の外部から開閉操作するために係合される部分であり、下ロータプレート５１ａの外周に、シャッタプレート５１ｂに隣接して所定の範囲に形成されている。
【００２８】
上ロータ５２は、下ロータ５１とおよそ対称に構成されている。すなわち、下ロータプレート５１ａと同様な上ロータプレート５２ａからなり、上ロータプレート５２ａには、上プレート３０のリブ３７に外嵌する中央開口部５２ｃと、凹部３４に対応する切欠５２ｅと、上ロータ支持溝３８に対応するリブ５２ｄとが形成されている。また、上ロータプレート５２ａの外周縁の切欠５２ｅに隣接する部分には、下ロータ５１のシャッタプレート５１ｂに対応して、シャッタ溝５２ｂが形成されている。シャッタ溝５２ｂと、シャッタプレート５１ｂの上端縁が係合することで、下ロータ５１と上ロータ５２は一体に回動するようになっている。
上ロータ５２は、中央開口部５２ｃが上プレート３０のリブ３７に外嵌するとともにリブ５２ｄが上ロータ支持溝３８に係合することで上プレート３０に回動自在に支持されている。なお、上ロータ５２は、係止部材５３により上プレート３０からの脱落が防止されている。係止部材５３は、リブ３７（図３参照）に内挿される筒部５３ａと、筒部５３ａの一端に形成されたフランジ５３ｂを有し、筒部５３ａが上ロータ５２の下側から中央開口部５２ｃに挿通され、リブ３７に超音波溶着または接着剤などにより固定されている。
【００２９】
図５に示す拡大断面図のように、下ロータ５１の上面、インナプレート２０の上下の両面、および上ロータ５２の下面は、磁気ディスクメディア４１と対向する面であり、それぞれ磁気ディスクメディア４１に対向する部分にわたってライナ４９が貼り付けられている。
ライナ４９は、例えばポリエステル繊維やレーヨン／ポリエステル混紡繊維などの不織布などからなる。
【００３０】
次に、下プレート１０と、インナプレート２０と、上プレート３０の積層構造について説明する。
下プレート１０のリブ１２は、図５に示すように内側が外側に対して一段高く形成されて雄型段部１２ａを形成している。そして、インナプレート２０のリブ２２は、最外周で下方に突出した雌型段部２２ａを形成しており、雄型段部１２ａの外周と雌型段部２２ａの内周が嵌合可能になっている。また、ネジ９１（図１参照）により下プレート１０、インナプレート２０、および上プレート３０を締結したときには、雄型段部１２ａの上面と、インナプレート２０の下面の対応する部分が密着する設定となっている。このように、下プレート１０のリブ１２と、インナプレート２０のリブ２２は、いわゆる印籠嵌合しているため、外部からカートリッジケース２内への塵埃の侵入が防止されている。
同様にして、インナプレート２０同士、およびインナプレート２０と上プレート３０も印籠嵌合により積層されている。すなわち、インナプレート２０の上側は、内側が一段高くなった雄型段部２２ｂが形成され、上プレート３０のリブ３２は、最外周が一段下側に突出した雌型段部３２ａが形成されている。そして、インナプレート２０の雄型段部２２ｂと、上に隣接するインナプレート２０の雌型段部２２ａが印籠嵌合し、また、インナプレート２０の雄型段部２２ｂと、上プレート３０の雌型段部３２ａが印籠嵌合して積層されている。このようにして、リブ１２，２２，３２は互いに印籠嵌合して、外部からカートリッジケース２へ塵埃が入ることを防止している。また、下プレート１０、インナプレート２０、上プレート３０の積層と同時にカートリッジケース２の側壁が構成される。
【００３１】
また、前記した雌型段部２２ａおよび雄型段部２２ｂは、ともに主プレート２１からライナ４９の厚みより高く突出している。そのため、インナプレート２０にライナ４９を貼り付けてアセンブリにした後に、このアセンブリを作業台などに置いたとしても、ライナ４９が作業台に接することが無く、したがってライナ４９が塵埃などで汚染されることがない。
【００３２】
このようなインナプレート２０の積層によるカートリッジケース２の構成は、磁気ディスクメディア４１の枚数の変更を容易にする。側壁１３の高さ変更や、シャッタプレート５１ｂの高さ変更は要するが、主としてインナプレート２０の枚数を変更するだけで、カートリッジケース２内に形成される磁気ディスクメディア４１の収容部の数を変更できるからである。
【００３３】
次に、磁気ディスクメディア４１およびその積層構造について説明する。
磁気ディスクメディア４１は、例えばポリエステルなどの樹脂シートに磁性塗料を両面に塗布したものである。
【００３４】
図６に示すように、センタコア４２は、金属板をプレスにより絞り成形して略ハット状にしたものである。すなわち、主として円形の底板４２ａと、底板４２ａの外周縁から立ち上がる低い円筒状の側壁４２ｂと、側壁４２ｂの上端から外径方向に広がるフランジ４２ｃとから構成されている。底板４２ａの中心には、センタホール４２ｄが形成され、周縁部にはセンタホール４２ｄを中心に６０°間隔で６つの小孔４２ｅが形成されている。
【００３５】
スペーサ４３は、隣接するセンタコア４２の間に介装されて、センタコア４２同士の間隔を保持するとともに、隣接するセンタコア４２相互間の回転を係止して、積層された磁気ディスクメディア４１が一体になって回転するように機能する。スペーサ４３は、樹脂をリング状に成形した本体部４３ａと、本体部４３ａに圧入された金属製のピン４３ｂとから構成される。本体部４３ａには、ピン４３ｂが圧入される小径孔部４３ｃと、小径孔部４３ｃと同軸で僅かに大径である大径孔部４３ｄとからなる貫通孔ｈが、センタコア４２の小孔４２ｅと対応する位置に６つ形成されている。この６つの貫通孔ｈは、隣接するもの同士の上下が逆になっている。つまり、大径孔部４３ｄが上側に位置する貫通孔ｈ１の両隣の貫通孔ｈ２は、大径孔部４３ｄが下側に位置するように配置されている。
各小径孔部４３ｃには、上側と下側からピン４３ｂが圧入され、ピン４３ｂの一端は大径孔部４３ｄと小径孔部４３ｃの境目に位置し、他端は小径孔部４３ｃの外側へ突出している。大径孔部４３ｄは、隣接するスペーサ４３のピン４３ｂの先端の逃げとしての機能を果たす。
【００３６】
このようなスペーサ４３は、図５に示すように、隣接するセンタコア４２の間に介装される。スペーサ４３の下側に突出したピン４３ｂは、スペーサ４３の下側のセンタコア４２の小孔４２ｅに入り、下側のセンタコア４２との相対回転を係止する。下側のセンタコア４２のさらに下にスペーサ４３がある場合には、下側のスペーサ４３における大径孔部４３ｄに入り込むことで、スペーサ４３のセンタコア４２に対する浮き上がりを防止している。スペーサ４３の上側に突出したピン４３ｂは、スペーサ４３の上側のセンタコア４２の小孔４２ｅに入り、上側のセンタコア４２との相対回転を係止する。上側のセンタコア４２のさらに上にスペーサ４３がある場合には、ピン４３ｂの先端は、上側のスペーサ４３における大径孔部４３ｄに入り込む。
【００３７】
なお、最上層のセンタコア４２は、上側に回転係止すべきセンタコアが無いため、その上には下側にのみピン４３ｂを突出させた、厚みの薄いトップスペーサ４３′が配置される。
【００３８】
以上のように積層された磁気ディスクメディア４１、つまりディスクスタック４０は、連結軸４４、ベアリングボール４５、圧縮コイルばね４６、およびセンタプレート４７により、安定した回転支持がなされている。
図５に示すように、連結軸４４は、積層されたセンタコア４２の相互間の中心の振れを少なくするとともに、ベアリングボール４５および圧縮コイルばね４６を保持するためのものであり、軸部４４ａ、ボール保持部４４ｂ、およびばね保持部４４ｃからなる。軸部４４ａは、センタコア４２のセンタホール４２ｄに挿通可能な円柱形状からなる。ボール保持部４４ｂは、軸部４４ａの上端に上側に開口した有底円筒状に形成されている。ボール保持部４４ｂの深さは、ベアリングボール４５の半径より大きく、そのためベアリングボール４５がボール保持部４４ｂに安定して保持される。ばね保持部４４ｃは、ボール保持部４４ｂの外径側に有底円筒を伏せた形状からなり、軸部４４ａとばね保持部４４ｃの間の円筒状の空間に圧縮コイルばね４６が配置される。なお、連結軸４４の長さは任意的であるが、ここでは、下から２層目のセンタコア４２まで届く長さになっている。また、最下層のセンタコア４２のセンタホール４２ｄは、磁気ディスクドライブのスピンドル６５の軸部６５２が進入できるように開いている。
【００３９】
センタプレート４７は、上プレート３０の内面の中心、つまり、リブ３７の内側の平面部分に貼り付けられた滑り部材である。センタプレート４７は、例えば、ポリオキシメチレン樹脂、超高分子量ポリエチレンなどの滑り性と耐摩耗性に優れた材料から構成することができる。
【００４０】
ベアリングボール４５は、例えばボールベアリングに使用される鋼製の球体からなるが、滑り性、耐摩耗性に優れた樹脂、例えばポリテトラフルオロエチレン、ポリオキシメチレン樹脂などにより構成しても良い。ベアリングボール４５は、連結軸４４のボール保持部４４ｂ内に配置されて、ボール保持部４４ｂの底面および上プレート３０の内面の中心、つまりセンタプレート４７と点接触により当接して、ディスクスタック４０を回転支持する。
【００４１】
圧縮コイルばね４６は、一端（上端）が連結軸４４のばね保持部４４ｃに保持され、他端（下端）が最上層のセンタコア４２の上面に当接して、積層されたセンタコア４２を下プレート１０側、つまり磁気ディスクドライブのスピンドル６５側へ付勢している。これにより、センタコア４２は、カートリッジケース２の中でがたつくことがなく、磁気ディスクメディア４１の回転時の振れが防止される。
【００４２】
磁気ディスクカートリッジ１に対し、データの記録、再生を行う磁気ディスクドライブは、図４に示すように、スピンドル６５により、ディスクスタック４０を回転させる。スピンドル６５は、磁力により最下層のセンタコア４２を吸着するとともに、センタコア４２のセンタホール４２ｄに入り込むことで、ディスクスタック４０との軸合わせをする。この際、スピンドル６５が、圧縮コイルばね４６の付勢力に抗してセンタコア４２を若干持ち上げるので、図４、図５に示すように、各磁気ディスクメディア４１は、下ロータ５１とインナプレート２０、上下のインナプレート２０同士、またはインナプレート２０と上ロータ５２の各間に形成される空間の中央に位置する。
磁気ディスクドライブの磁気ヘッド６３は、スイングアーム６２の先端に設けられている。磁気ヘッド６３は、各磁気ディスクメディア４１の両面に配置されている。
【００４３】
以下、最下層のセンタコア４２のセンタホール４２ｄに進入する磁気ディスクドライブの第１の実施形態のスピンドル６５および第２の実施形態のスピンドル６９について図を参照しつつ説明する。
【００４４】
（第１の実施形態）
まず、第１の実施形態のスピンドル６５について説明する。図７は、本発明の第１の実施形態のスピンドルを示す図であり、（ａ）はスピンドルの上面を示す斜視図、（ｂ）は（ａ）の上面を示す平面図、（ｃ）は（ｂ）のＡ−Ａ断面図、（ｄ）はＢ部拡大図である。
【００４５】
スピンドル６５は、円柱形状を呈した軸体であり、スピンドルケース６５０（図４，５参照）から露出した基体としてのターンテーブル６５１と、このターンテーブル６５１の軸心としての軸部６５２と、この軸部６５２に対して同心円状に形成された環状溝６５３と、軸部６５２の周りに配置される円筒形状の内側マグネット６５４と、この内側マグネット６５４から環状溝６５３を挟んで配置される環状の外側マグネット６５５とを主に備えて構成されている。
【００４６】
スピンドルケース６５０（図４，５参照）は、スピンドル６５の回転動力源を内蔵し、スピンドル６５に接続している。ターンテーブル６５１は、円柱形状を呈し、その軸心に軸部６５２が一体形成され、環状溝６５３の深部を形成するターンテーブル側環状溝６５３ａが形成されている。このターンテーブル６５１は、回転体としての強度を有するものであれば、金属や硬質樹脂等のどのような材質としても構わない。
【００４７】
環状溝６５３は、最下層のセンタコア４２の底板４２ａに形成された小孔４２ｅから突出するピン４３ｂを逃がすための溝である。この環状溝６５３は、ターンテーブル側環状溝６５３ａと共に、内側マグネット６５４と外側マグネット６５５とで囲まれて形成される環状孔６５３ｂとによって形成されている。
【００４８】
一方、内側マグネット６５４の表面と外側マグネット６５５の表面とによって同一の平面が形成され、この平面が底板４２ａの面に対して段差を生じないで互いを密着させるようになっている。なお、内側マグネット６５４および外側マグネット６５５は、最下層のセンタコア４２の底板４２ａに吸着する磁性体である。
【００４９】
したがって、スピンドル６５に形成される環状溝６５３は、底板４２ａと密着しないで、底板４２ａから突出するピン４３ｂを進入させて、前記平面と底板４２ａの面とが密着する面からピン４３ｂを逃がすようになっている。なお、ここでは、特に、図６に示すように、底板４２ａの小孔４２ｅから突出するピン４３ｂは、回転中心を中心に１２０°おきに配置された３本である。これら３本のピン４３ｂは、回転中心であるセンタホール４２ｄ（軸部６５２）から同一距離の径上に配置されている。そのため、環状溝６５３は、軸部６５２に対して同心円状に１本の溝として形成されている。
【００５０】
ところで、最下層のセンタコア４２の底板４２ａには、小孔４２ｅがセンタホール４２ｄに対して１本の同心円状に形成されずに、例えば、２本の同心円状に配置されるように形成され、ピン４３ｂが２本の同心円状から突出する場合には、環状溝６５３も２本の同心円状に形成すればよい。
【００５１】
なお、環状溝６５３は、不連続な領域のないように連続させて同心円状に形成されている。そのため、最下層のセンタコア４２の底板４２ａの小孔４２ｅから突出するピン４３ｂが、スピンドル６５の回転方向に対していずれの位置になっていても、環状溝６５３内に入り込むことができる。したがって、不連続にピン４３ｂを逃がす溝（穴）をスピンドル６５に形成する構造に比べて、位置決めをする必要がないため、磁気ディスクカートリッジ１をセンタコア４２の回転角度を気にせずに磁気ディスクドライブ内に挿入することができる。
【００５２】
また、不連続にピン４３ｂを逃がす溝（穴）をスピンドル６５に形成する構造では、不連続な領域では、ピン４３ｂがスピンドル６５の表面を摺動することになるため、スピンドル６５の表面を傷つけると共に、ピン４３ｂを振動させてしまってアセンブリとしてのセンタコア４２同士の接合状態がゆがんでしまい、軸ぶれなどの不具合を生じさせてしまう。しかし、前記したように、スピンドル６５は、連続的に環状溝６５３が形成されているため、ピン４３ｂによる不具合を引き起こすこともない。
【００５３】
ここで、図８を参照して、第１の実施形態のスピンドル６５の変形例１〜３について説明する。図８は、本発明の第１の実施形態のスピンドルの変形例を示す図７（ｃ）に相当する図であり、（ａ）はスピンドルの変形例１の断面図、（ｂ）はスピンドルの変形例２の断面図、（ｃ）はスピンドルの変形例３の断面図である。なお、以下の説明では、同一構成部品には、同一符号を付して説明する。
【００５４】
（変形例１）
図８（ａ）に示すとおり、スピンドル６５のターンテーブル６６１は、ターンテーブル６５１（図７参照）の形状と異なって、外側マグネット６５５（図７参照）の形状の肉厚分を置き換えたような形状になっている。そのため、ターンテーブル６６１の平面には、環状溝６５３が、軸部６５２を中心とした環状に形成されている。したがって、環状溝６５３が、ターンテーブル６６１の環状の平面を形成する内周面と、内側マグネット６５４とによって形成されている。なお、環状溝６５３の底面側は、内側マグネット６５４の底面よりも深く、ターンテーブル６６１内に形成したターンテーブル側環状溝６５３ａによって形成されている。
【００５５】
（変形例２）
図８（ｂ）に示すとおり、スピンドル６５のターンテーブル６５１には、軸部６５２を中心とした同心円状にターンテーブル側環状溝６５３ａが形成されている。そして、このスピンドル６５は、外側マグネット６５５（図７参照）の代わりに、センタコア４２の底板４２ａの回転を抑制するゴム等の摺動抵抗部材６７５を配置した構造になっている。摺動抵抗部材６７５と内側マグネット６５５とによって環状孔６５３ｂが形成され、この環状孔６５３ｂとターンテーブル側環状溝６５３ａとによって環状溝６５３が形成される。
【００５６】
（変形例３）
図８（ｃ）に示すとおり、軸部６５２を形成したスピンドル６５のターンテーブル６８１は、軸部６５２を除くと、ターンテーブル側環状溝６５３ａ（図７参照）の無い円柱形状を呈している。このスピンドル６５は、内側マグネット６５４と外側マグネット６５５との隙間により環状溝６５３を形成する。つまり、環状溝６５３は、ターンテーブル６８１の平面上に軸部６５２を中心とした同心円状に内側マグネット６５４と外側マグネット６５５とを貼付することによって形成される。
【００５７】
（第２の実施形態）
次に、第２の実施形態のスピンドル６９について説明する。図９は、本発明の第２の実施形態のスピンドルを示す図であり、（ａ）はスピンドルの上面を示す斜視図、（ｂ）は（ａ）の環状溝部分を拡大した平面図、（ｃ）は（ｂ）のＣ−Ｃ断面図である。なお、第１の実施形態と同一構成要素には同一符号を付して説明する。
【００５８】
スピンドル６９は、スピンドル６５（図７参照）と同様に、、円柱形状を呈した軸体であり、ターンテーブル６５１と、軸部６５２と、環状溝６５３と、内側マグネット６５４と、外側マグネット６５５とを備え、さらに、環状溝６５３内に規制部６９６を形成して構成されている。なお、環状溝６５３の構造は、図８を参照して説明した第１の実施形態の場合と同様の変形例が提案できる。この第２の実施形態は、規制部６９６を備えることが特徴である。したがって、以下は、規制部６９６を中心に説明する。
【００５９】
規制部６９６は、最下層のセンタコア４２の底板４２ａの小孔４２ｅから突出するピン４３ｂが環状溝６５３内に逃げている状態の場合に、ピン４３ｂが環状溝６５３内を移動してしまうときに、その動きを規制する規制壁６９６ａと、規制部６９６に沿って環状溝６５３内にピン４３ｂを案内する斜面６９６ｂとにより形成されている。ここで、「逃げている場合」とは、前記したとおり、スピンドル６９の内側マグネット６５４および外側マグネット６５５とセンタコア４２の底板４２ａとが吸着している状態である。したがって、規制部６９６は、環状溝６５３の深さよりも低く形成されている。ここで、「低く」とは、規制部６９６がセンタコア４２と接触し、内側マグネット６５４および／または外側マグネット６５５がセンタコア４２と接触しない場合を除く意味であり、「深さ」と同一の高さの場合であってもよい。
【００６０】
また、ここでは、規制壁６９６ａは、環状溝６５３内を垂直に立てて設けた平面からなる。そのため、規制壁６９６ａは、ピン４３ｂの側壁と線状に接触して、その動きを規制することになる。したがって、センタコア４２が、スピンドル６９に対してスリップするのを抑止することができる。
【００６１】
また、ここでは、斜面６９６ｂが、断面三角形状に形成されている。つまり、ピン４３ｂが環状溝６５３内に侵入するときに、規制部６９６に当接しても、斜面６９６ｂがピン４３ｂを環状溝６５３内に案内するため、規制部６９６自体に妨げられることなく、センタコア４２とスピンドル６９とが互いの面を密着させることができる。なお、規制壁６９６ａと斜面６９６ｂとの接続部分は、ピン４３ｂを環状溝６５３内に案内するために、曲面または鋭角な形状であることが望ましい。
【００６２】
次に、図１０〜１３を参照して、第２の実施形態のスピンドル６９の変形例１〜４について説明する。
（変形例１）
図１０は、本発明の第２の実施形態のスピンドルの変形例１を示す図であり、図９（ｃ）に相当する断面図である。
変形例１のスピンドルは、規制壁６９６ａ（図９参照）と同様の規制壁７００ａと、曲面としての斜面７００ｂとによって形成される規制部７００を成形したターンテーブル６５１とした構造を備えている。斜面７００ｂは、平面としての斜面６９６ｂ（図９参照）を曲面にした形状である。そのため、斜面６９６ｂよりも滑らかに、ピン４３ｂが斜面７００ｂに沿って進入する。
【００６３】
（変形例２）
図１１は、本発明の第２の実施形態のスピンドルの変形例２を示す図であり、（ａ）は図９の（ｂ）に相当する平面図、（ｂ）は（ａ）のＤ−Ｄ断面図である。
変形例２のスピンドルは、ピン４３ｂの側壁の形状に合わせた形状を有する規制壁７０１ａと、斜面６９６ｂと同様の斜面７０１ｂとによって形成される規制部７０１をターンテーブル６５１に成形した構造を備えている。規制壁７０１ａは、ピン４３ｂの形状に合わせた平面半球状の切り欠き面となっている。そのため、規制壁７０１ａは、ピン４３ｄを面によって規制することになる。したがって、規制壁７０１ａがピン４３ｂの圧力により変形するのを防止することも可能になる。
【００６４】
（変形例３）
図１２は、本発明の第２の実施形態のスピンドルの変形例３を示す図であり、（ａ）は図９の（ｂ）に相当する平面図、（ｂ）は（ａ）のＥ−Ｅ断面図である。
変形例３のスピンドルは、規制壁６９６ａ（図９参照）と同様の規制壁７０２ａを備え、斜面６９６ｂ（図９参照）に相当する斜面を備えない形状の規制部７０２をターンテーブル６５１に形成した構造をしている。ただし、規制壁７０２ａの自由端側は、曲面または鋭角とするのが望ましい。
【００６５】
（変形例４）
図１３は、本発明の第２の実施形態のスピンドルの変形例４を示す図であり、図９（ｂ）に相当する平面図である。
変形例４のスピンドルは、ピン４３ｂの径よりも狭い幅を有し、その狭い幅から回転方向に次第に幅が広がり、ピン４３ｂの径よりも広い幅を有する環状溝７５３を連続的に形成した構造を備えている。この環状溝７５３は、狭い幅と広い幅との接合部分が規制壁７０３ａとして機能し、狭い幅から広い幅へと次第に広がっていく部分が斜面７０３ｂとして機能するような規制部７０３を構成している。この変形例４のスピンドルの場合は、規制部７０３を環状溝７５３に形成するのではなく、環状溝７５３自体の形状のみで構成することができる。
【００６６】
以上のようなスピンドル６５，６９は、磁気ディスクカートリッジ１がディスクドライブ（図示省略）内にセットされた場合に、センタコア４２の底部４２ａに吸着するときに、センタコア４２の底部４２ａの小孔４２ｅから突出するピン４３ｂを環状溝６５３等内に逃げ込ませることになる。また、スピンドル６９は、斜面６５６ｂがピン４３ｂの環状溝６５３等内への進入を案内する。さらに、スピンドル６９は、磁気ディスクカートリッジ１の回転時に、内側マグネット６５４および／または外側マグネット６５５とセンタコア４２の底部４２ａとが摺動してスリップしたとしても、規制部６５６の規制壁６５６ａ等がピン４３ｂの移動を規制するため、そのスリップを阻止することができる。
【００６７】
なお、前記した実施形態では、規制壁６９６ａ等が面を形成しているものとして説明したが、必ずしも面を形成しなくてもよい。例えば、規制壁６９６ａの面が凸凹していてもよい。
【００６８】
以上、本発明の実施形態について説明したが、本発明は前記した実施形態に限定されることなく適宜変形して実施することが可能である。例えば、実施形態においては、記録ディスクメディアとして磁気ディスクメディア４１を適用したが、光によりデータを記録する光ディスクメディアの場合にも同様に適用することができる。
【図面の簡単な説明】
【００６９】
【図１】磁気ディスクカートリッジの分解斜視図である。
【図２】磁気ディスクカートリッジの外観斜視図の（ａ）シャッタを閉じた状態、および（ｂ）シャッタを開けた状態を示す。
【図３】上プレートの内面を示す斜視図である。
【図４】磁気ディスクドライブに装填した磁気ディスクカートリッジの図２（ａ）におけるIV−IV断面図である。
【図５】図４の部分拡大図である。
【図６】磁気ディスクメディアの積層構造を示す分解斜視図である。
【図７】本発明の第１の実施形態のスピンドルを示す図であり、（ａ）はスピンドルの上面を示す斜視図、（ｂ）は（ａ）の上面を示す平面図、（ｃ）は（ｂ）のＡ−Ａ断面図、（ｄ）はＢ部拡大図である。
【図８】本発明の第１の実施形態のスピンドルの変形例を示す図７（ｃ）に相当する図であり、（ａ）はスピンドルの変形例１の断面図、（ｂ）はスピンドルの変形例２の断面図、（ｃ）はスピンドルの変形例３の断面図である。
【図９】本発明の第２の実施形態のスピンドルを示す図であり、（ａ）はスピンドルの上面を示す斜視図、（ｂ）は（ａ）の環状溝を直線状に表した平面図、（ｃ）は（ｂ）のＣ−Ｃ断面図である。
【図１０】本発明の第２の実施形態のスピンドルの変形例１を示す図であり、図９（ｃ）に相当する断面図である。
【図１１】本発明の第２の実施形態のスピンドルの変形例２を示す図であり、（ａ）は図９の（ｂ）に相当する平面図、（ｂ）は（ａ）のＤ−Ｄ断面図である。
【図１２】本発明の第２の実施形態のスピンドルの変形例３を示す図であり、（ａ）は図９の（ｂ）に相当する平面図、（ｂ）は（ａ）のＥ−Ｅ断面図である。
【図１３】本発明の第２の実施形態のスピンドルの変形例４を示す図であり、図９（ｂ）に相当する平面図である。
【符号の説明】
【００７０】
１                磁気ディスクカートリッジ（ディスクカートリッジ）
４１              磁気ディスクメディア（記録ディスクメディア）
４２              センタコア
４２ａ            底板（底面）
４２ｅ            小孔（底面）
４３ｂ            ピン
６５，６９        スピンドル
６５３，７５３    環状溝
６５３ａ          ターンテーブル側環状溝
６５３ｂ          環状孔
６５６，６９６，７００，７０１，７０２，７０３              規制部
６５６ａ，６９６ａ，７００ａ，７０１ａ，７０２ａ，７０３ａ  規制壁
６５６ｂ，６９６ｂ，７００ｂ，７０１ｂ，７０３ｂ            斜面
【図１】
2006059399.tif 000003
【図２】
2006059399.tif 000004
【図３】
2006059399.tif 000005
【図４】
2006059399.tif 000006
【図５】
2006059399.tif 000007
【図６】
2006059399.tif 000008
【図７】
2006059399.tif 000009
【図８】
2006059399.tif 000010
【図９】
2006059399.tif 000011
【図１０】
2006059399.tif 000012
【図１１】
2006059399.tif 000013
【図１２】
2006059399.tif 000014
【図１３】
2006059399.tif 000015